(57)【要約】      （修正有）【課題】１本の採血管による１回の採血で血漿成分に基づく検査と血球成分に基づく検査を従来と同等の精度で、自己採血によっても、精度のよい検査が容易にできる採血管を提供する。【解決手段】採血ボトル１は先端部が開放された有底の筒状容器からなり、内周壁に分離剤が付与されてなる。分離フロート７は採血ボトル１内に移動可能に収容され、分離フロート７には血液２１を受ける面が球面状に切欠されてなるカップ部９が形成されるとともに、中心部に連通孔１１が設けられ、連通孔１１にてカップ部９と採血ボトル１の底面とが連通される。連通孔１１は採血ボトル１の底部側開口面１３が拡大して形成される。【選択図】図５
2019100858.tif 000002
【特許請求の範囲】
【請求項１】
採血ボトルと分離フロートとからなる血液検査用器具であって、
採血ボトルは先端部が開放された有底の筒状容器からなり、内周壁に分離剤が付与されてなり、
分離フロートは上記採血ボトル内に移動可能に収容され、
上記分離フロートには血液を受ける面が球面状に切欠されてなるカップ部が形成されるとともに、中心部に連通孔が設けられ、
該連通孔にて上記カップ部と採血ボトルの底面とが連通され、
上記連通孔は採血ボトルの底部側開口面が拡大して形成されることを特徴とする血液検査用器具。
【請求項２】
請求項１記載の血液検査用器具において、上記カップ部が半球面状に形成されることを特徴とする血液検査用器具。
【請求項３】
請求項２記載の血液検査用器具において、上記カップ部が断面半正円形であることを特徴とする血液検査用器具。
【請求項４】
請求項２記載の血液検査用器具において、上記カップ部が断面半楕円形であって、長軸が採血ボトルの長手方向に形成されることを特徴とする血液検査用器具。
【請求項５】
請求項１乃至請求項４のいずれか一記載の血液検査用器具において、上記連通孔の拡大孔の周壁が凹弧状に形成されることを特徴とする血液検査用器具。
【請求項６】
請求項１乃至請求項４のいずれか一記載の血液検査用器具において、上記連通孔の拡大孔の周壁が突弧状に形成されることを特徴とする血液検査用器具。
【請求項７】
請求項１乃至請求項４のいずれか一記載の血液検査用器具において、上記連通孔の拡大孔の周壁が扁平状に形成されることを特徴とする血液検査用器具。
【請求項８】
請求項１乃至請求項７のいずれか一記載の血液検査用器具において、上記分離剤が上記採血ボトルの内周壁の中間部に帯状に付与されることを特徴とする血液検査用器具。
【請求項９】
請求項１記載の血液検査用器具において、上記採血ボトルの上部の内周壁に抗凝固剤が付与されることを特徴とする血液検査用器具。
【請求項１０】
請求項１記載の血液検査用器具において、上記分離フロートは当初上記採血ボトルの中間部に半固定状態にて位置することを特徴とする血液検査用器具。
【請求項１１】
請求項１記載の血液検査用器具において、上記採血ボトルの先端部に採血ノズルが着脱自在に嵌着され、該採血ノズルは両端が開放され、先端部に向かってテーパ状に形成され、採血ボトルに着脱自在に嵌着される基端部に、圧力調整のための圧力調整溝が形成されることを特徴とする血液検査用器具。
【請求項１２】
請求項１記載の血液検査用器具において、上記分離フロートの底部は上記採血ボトルの底部と同一形状に形成されることを特徴とする血液検査用器具。
【発明の詳細な説明】
【技術分野】
【０００１】
本願発明は血液検査に用いる血液分離用容器に関する。
【背景技術】
【０００２】
従来、血液検査をする場合、多くは静脈に注射針を刺し、５ｃｃ位の血液を採取し、採血された血液を遠心分離し、血清又は血漿成分を取り出し、目的とする検査項目の検査をしていた。
【０００３】
健康診断の血液検査は、ほとんどの検査項目で血清、血漿成分を用いるが、ＨｂＡ１ｃだけは血球成分を用いる。例えば、糖尿病検査のための血糖値検査では血漿成分の血糖値だけでなく、過去の平均的血糖値を反映する血球成分のＨｂＡ１ｃ（ヘモグロビンＡ１ｃ）を検査する必要がある。
このような場合は、血漿成分を採取するための採血と、血球成分を採取するための採血との２本採血を行っていた。
【０００４】
採血は静脈に注射針を刺して行うため、採血の際神経損傷や切断があると数か月間後遺症が残ったり、手指がきかなくなるおそれがある。
このように、採血はリスクのある医療行為なのであり、事実医療機関で行う採血でさえ、採血に伴う医療事故が年間約１０万件もあると言われている。
【０００５】
一方で、医師法の改正により、現在では自己採血が適法となっている。
【０００６】
ところで、血液を抗凝固剤入りの採血管で採血して放置又は遠心分離すると、血球成分が沈殿するので、上澄みに血漿成分が生成される。
【０００７】
従来においては、ゲル状の分離剤での血液の分離は、分析用ノズルにゲル状の分離剤が付着してしまうため、下層の血球成分の採取が非常に困難であった。
【０００８】
また、従来のこの種血液検査用器具は構造が複雑であり、取扱も容易でなかった。
【０００９】
血液検査の現況の実態は、採血された５ｃｃ程度の血液のうち、実際の検査に使われる血液成分が例えば数％程度の僅少であり、大部分の血液成分が廃棄されている。しかもこの廃棄される血液は医療廃棄物となるため、廃棄に多大の管理やコストがかかるという難があった。
【００１０】
このような背景及び医療費の膨大な増加が必至と言われる現在、医療機関だけでなく自己採血によっても、簡単、取扱容易で、かつ精度を維持した血液検査が求められている。
【先行技術文献】
【特許文献】
【００１１】
【特許文献１】特開２００８−２７９１９５号公報
【００１２】
【特許文献２】特開２００８−２３２８７６号公報
【発明の概要】
【発明が解決しようとする課題】
【００１３】
本願発明は、上記背景より、１本の採血管による１回の採血で血漿成分に基づく検査と血球成分に基づく検査を従来と同等の精度で行うことができる血液分離用容器を供することを目的とする。
【００１４】
本願発明はまた、医療機関だけでなく自己採血によっても、従来と同等の精度で血液検査を行うことができ、取扱い容易な血液分離用容器を供することを目的とする。
【００１５】
本願発明はさらに、血液検査に必要かつ十分な量、即ち、微量な血液量であっても確実に血漿成分に基づく検査と血球成分に基づく検査とを行うことができる血液分離用容器を供することを目的とする。
【００１６】
上記課題を同時に達成することは至難であるが、本願発明はさらにまた、これらを同時に達成することをも目的とする。
【課題を解決するための手段】
【００１７】
上記目的達成のため、本願発明による血液検査用容器は、採血ボトルと分離フロートとからなる血液検査用器具であって、採血ボトルは先端部が開放された有底の筒状容器からなり、内周壁に分離剤が付与されてなり、分離フロートは上記採血ボトル内に移動可能に収容され、上記分離フロートには血液を受ける面が球面状に切欠されてなるカップ部が形成されるとともに、中心部に連通孔が設けられ、該連通孔にて上記カップ部と採血ボトルの底面とが連通され、上記連通孔は採血ボトルの底部側開口面が拡大して形成されることを特徴とする。
また、請求項１記載の血液検査用器具において、上記カップ部が半球面状に形成されることを特徴とする。
また、請求項２記載の血液検査用器具において、上記カップ部が断面半正円形であることを特徴とする。
また、請求項２記載の血液検査用器具において、上記カップ部が断面半楕円形であって、長軸が採血ボトルの長手方向に形成されることを特徴とする。
また、請求項１乃至請求項４のいずれか一記載の血液検査用器具において、上記連通孔の拡大孔の周壁が凹弧状に形成されることを特徴とする。
また、請求項１乃至請求項４のいずれか一記載の血液検査用器具において、上記連通孔の拡大孔の周壁が突弧状に形成されることを特徴とする。
また、請求項１乃至請求項４のいずれか一記載の血液検査用器具において、上記連通孔の拡大孔の周壁が扁平状に形成されることを特徴とする。
また、請求項１乃至請求項７のいずれか一記載の血液検査用器具において、上記分離剤が上記採血ボトルの内周壁の中間部に帯状に付与されることを特徴とする。
また、請求項１記載の血液検査用器具において、上記採血ボトルの上部の内周壁に抗凝固剤が付与されることを特徴とする。
また、請求項１記載の血液検査用器具において、上記分離フロートは当初上記採血ボトルの中間部に半固定状態にて位置することを特徴とする。
また、請求項１記載の血液検査用器具において、上記採血ボトルの先端部に採血ノズルが着脱自在に嵌着され、該採血ノズルは両端が開放され、先端部に向かってテーパ状に形成され、採血ボトルに着脱自在に嵌着される基端部に、圧力調整のための圧力調整溝が形成されることを特徴とする。
請求項１記載の血液検査用器具において、上記分離フロートの底部は上記採血ボトルの底部と同一形状に形成されることを特徴とする。
【発明の効果】
【００１８】
（１）１回２成分採取の効果
血液が遠心分離されると血液の成分が上層と下層に分離され、図５（Ｂ）に示すように、分離フロートの上部に血漿成分２１ａが、分離フロートの下方即ち採血ボトルの底部に血球成分２１ｂが溜まる。
このとき、即ち血液２１が血漿成分２１ａと血球成分２１ｂに分離されたとき、分離剤１６ａ、１６ｂにより、分離フロートを境にして採血ボトル内の上部と下部が完全に密閉される。
【００１９】
このシーリング効果により、採血ボトル内の上層には血漿成分２１ａが、下層には血球成分２１ｂが分離生成される。そこで遠心分離した上清の血漿成分２１ａを採取した後、次に図５（Ｃ）に示すように、分離フロートを押し下げることにより、血球成分２１ｂが連通孔を通じ分離フロートのカップ部の上方に押し上げられ、この血球成分層を分析用ノズルで採取することで、血液２成分の採取測定が可能となる。
【００２０】
（２）分離精度の同等性
分離された血漿成分２１ａの吸上げの際、血漿成分２１ａと血球成分２１ｂとは完全に分離されており、血漿成分２１ａ中に血球成分２１ｂが混入するおそれがないので、血液検査の精度は従来の検査と同等の精度を維持することができる。
血漿成分２１ａの吸上げの際、分離フロートの上面が半球面状に切欠されているから、分析用のノズルをカップ部のどこに入れてもカップ部の上面に衝突するおそれがなく、血漿成分２１ａの採取を安定的かつ確実にすることができる。
【００２１】
また血漿成分２１ａと血球成分２１ｂとが確実に分離されるため、微量な血液量であっても、従来の検査と同等の精度で血液検査をすることができる。
【００２２】
（３）自己採血可能性、取扱容易性、採血微量性
分離フロートの上面が半球面状に切欠されているから、連通孔を相対的に短小化することができ、血球成分２１ｂの採取が容易となる効果がある。
また、採血ボトルへの採血は手指に図示しない穿刺具を穿刺することにより行うところ、採血は毛細血管から流出する血液を微量採取するため、神経の損傷や切断のおそれがなく、自己採血もリスクなく行うことができる。
【図面の簡単な説明】
【００２３】
【図１】（Ａ）は本願発明による血液分離用容器の実施の形態を示す正面図、（Ｂ）は（Ａ）の平面図、（Ｃ）は（Ａ）のＣ−Ｃ断面図、（Ｄ）は（Ｃ）のＤ部拡大図である。
【図２】（Ａ）は図１の検査ボトルの正面図、（Ｂ）は（Ａ）の平面図、（Ｃ）は（Ａ）のＣ−Ｃ断面図、（Ｄ）は（Ｂ）のＤ−Ｄ断面図である。
【図３】（Ａ）は図１の分離フロートの正面図、（Ｂ）は（Ａ）の平面図、（Ｃ）は（Ａ）の底面図、（Ｄ）は（Ａ）のＤ−Ｄ断面図、（Ｅ）は（Ａ）の斜視図、（Ｆ）は（Ｄ）のＦ部拡大図である。
【図４】（Ａ）図１の採血ノズルの正面図、（Ｂ）は（Ａ）の底面図、（Ｃ）は（Ａ）の平面図、（Ｄ）は（Ａ）のＤ−Ｄ断面図、（Ｅ）は（Ｂ）のＥ−Ｅ断面図である。
【図５】（Ａ）は本願発明による血液分離用容器の使用方法を示す第１ステップの概略断面図、（Ｂ）は同第２ステップの概略断面図、（Ｃ）は同第３ステップの概略断面図である。
【図６】（Ａ）は本願発明による血液分離用容器による血漿成分の吸上げ例を示す概略断面図、（Ｂ）は対比例による血漿成分の吸上げ例を示す概略断面図である。
【発明を実施するための形態】
【００２４】
次に、実施の形態を示す図面に基づき本願発明による血液検査用器具をさらに詳しく説明する。なお、便宜上同一の機能を奏する部分には同一の符号を付してその説明を省略する。図１は本願発明による血液検査用器具に採血のための採血ノズルを組み込んだ状態を示す。
【００２５】
１は採血ボトルであり、先端部３が開放された有底の筒状容器からなる。図２は採血ボトル１の詳細を示し、５は該採血ボトル１の底部であり、凹弧状の底面５ａを有し、かつ、基端部が外方に延長され脚部５ｂを形成する。上記先端部３には着脱自在の蓋部４が設けられる。上記採血ボトル１内に分離フロート７が移動可能に収容される。
【００２６】
図３は分離フロート７の詳細を示す。即ち、分離フロート７は、上面に半球面状（図示実施例では断面半正円形）に切欠されてなるカップ部９が形成され、このカップ部９にて採取された血液２１（図５に示す）を受ける。また上記分離フロート７の中心部には連通孔１１が設けられ、該連通孔１１にて上記カップ部９と採血ボトル１の底面５ａとが連通される。
上記連通孔１１は、採血ボトル１の底部側の開口面が拡大され、ここに拡大孔１３が形成される。上記連通孔１１の拡大孔１３の周壁１３ａは図３（Ｆ）に示すように、凹弧状に形成される。
【００２７】
上記採血ボトル１の内周壁１ｂの中間部付近には、当初、図１（Ｄ）の一点鎖線Ｃに示すように、比重を分断フロート７より若干大としたゲル状の分離剤１６ａが帯状に塗布される。
【００２８】
１７は採血ノズルであり、採血ボトル１の先端部３に着脱自在に嵌着される。該採血ノズル１７は、図４に示すように、両端が開放され、先端部１７ａに向かってテーパ状に形成され、採血ボトル１に着脱自在に嵌着される基端部１７ｂには、圧力調整のための圧力調整溝１８が形成される。
【００２９】
上記採血ボトル１、分離フロート７及び採血ノズル１７はいずれもプラスチックからなる。
【００３０】
上記分離フロート７は、使用前においては、上記採血ボトル１の内周壁１ｂの長手方向中間部に半固定状態にて位置する。これは、当初塗布されるゲル状の分離剤１６ａの粘着性によるためである。
【００３１】
また採血の際、図４に示す採血ノズル１７を用いる場合には、図１に示すように採血ノズル１７が採血ボトル１の先端部３に着脱自在に嵌着される。この場合、図示しない抗凝固剤が採血ノズル１７の内周壁１７ｃ及び採血ボトル１の上部内周壁１ａに噴霧され、使用の際には乾燥状態となっている。
【００３２】
次に採血について説明する。ユーザ（一般人又は医療関係者）が、図示しない穿刺具にて、手の指から微量の血液を採取する。採血された血液２１は、採血ノズル１７より採血ボトル１内に流入すると、採血ノズル１７及び採血ボトル１の内面に抗凝固剤が塗布されているため、図５（Ａ）に示すように、凝血しない状態で血液分析センターに運搬されてくる。
【００３３】
血液２１は血液分析センターにて遠心分離されると、血液成分が上層と下層に分離され、図５（Ｂ）に示すように、分離フロート７の上部に血漿成分２１ａが、分離フロート７の下方即ち採血ボトル１の底部５に血球成分２１ｂが溜まる。
【００３４】
ここで、血液２１が血漿成分２１ａと血球成分２１ｂに分離されるときについて詳しく述べる。採血ボトル１の内周壁１ｂに帯状に付与されているゲル状の分離剤１６ａは、分離フロート７を回転させながら採血ボトル１内に挿入することにより、分離フロート７の外周壁７ａと採血ボトル１の内周壁１ｂの間に均一に塗布されるので、まず、この分離フロート７の外周壁７ａと採血ボトル１の内周壁１ｂとの間をシーリングする。この状態で血液２１を遠心分離をすると、比重の大きい血球成分２１ｂが連通孔１１より底部５に落下する。このとき、各部の比重差により、図５（Ｂ）に示すように、上から順に血漿成分２１ａ、分離フロート７、分離剤１６ｂ、血球成分２１ｂと層状に位置する。なお、分離フロート７の挿入により分離フロート７の外周壁７ａと採血ボトル１の内周壁１ｂとの間に進入してきている分離剤１６ａは、遠心分離の終了の頃になると、段々と落下が納まり、その粘着力により中心方向に集まって最終的には連続され、分離フロート７の底面７ｂにおいて層状の分離剤１６ｂとなる。この分離剤１６ｂにより分離フロート７の拡大孔１３及び連通孔１１が閉塞される。
このシーリング効果により、採血ボトル１内の上層には斜線で示す血漿成分２１ａが、下層にはクロス斜線で示す血球成分２１ｂが分離生成される。
【００３５】
そこで遠心分離した上清の血漿成分２１ａを採取した後、次に、分離フロート７をＡの位置（図５（Ｂ）に示す）からＢの位置（図５（Ｃ）に示す）に押し下げることにより、その押下げ圧により分離剤１６ｂがカップ部９内に除去されるので、血球成分２１ｂが連通孔１１を通じ分離フロート７のカップ部９上方に押し上げられ、この血球成分層を分析用ノズル１９で採取することで、血液２成分の採取測定が可能となる。
【００３６】
次に、分離された血漿成分２１ａは、分析用ノズル１９により吸上げられ、図示しない自動分析機により所定の検査がなされる。この吸上げの際、血漿成分２１ａと血球成分２１ｂとは完全に分離されており、血漿成分２１ａ中に血球成分２１ｂが混入するおそれがないので、血液検査の精度は従来の検査と同等の精度を維持することができる。
【００３７】
この点に関し、カップ部９’の内周面９ａが図６（Ｂ）に示すように円錐面状であると、自動分析機の分析用ノズル１９がカップ部９’の内周面９ａに衝突することがあり、かかる場合血球成分２１ｂが混入するため、正確な分析をすることができない。分析用ノズル１９がカップ部の内周面に衝突すると、分離フロート７を押し下げることになり、下層の血球成分２１ｂを押し上げるため、血球が混入してしまうからである。
【００３８】
これに対し本実施の形態においては、分析用ノズル１９が図５（Ｂ）に示すようなカップ部９の適性位置（中央部付近）ではなく、図６（Ａ）に示すようなカップ部９の不適性位置（偏心位置）に位置したとしても、カップ部９が半球面状に形成されているためカップ部９のどの位置であっても等距離となるから、下層の血球成分２１ｂを押し上げることにならず、血球成分２１ｂ混入のおそれがないので、血漿成分２１ａの採取を安定的かつ確実にすることができるのである。
【００３９】
また、分離フロート７は、カップ部９の内周面９ａが半球面状に切欠されているから、連通孔１１を相対的に短小化することができ、血球成分２１ｂの採取が容易となる効果がある。これは、連通孔１１が長大化すると、血球成分２１ｂ採取の際、分離フロート７の押下げ距離が長大化するので、血球成分２１ｂの採取が困難となるからである。
【００４０】
上記において、上記カップ部９が断面半楕円形であって、長軸が採血ボトルの長手方向に形成される場合は、図６で述べた血球成分２１ｂ混入のおそれがさらに防止され、また連通孔１１の相対的短小化もさらに向上するので望ましい。
【００４１】
さらに本実施の形態による血液検査用器具によれば、採血ボトル１の採血は、手指に図示しない穿刺具を穿刺することにより行うところ、採血は毛細血管から流出する血液を採取するため、微量であり、かつ神経の損傷や切断のおそれがなく、自己採血もリスクなく行うことができる。
【００４２】
また血漿成分２１ａと血球成分２１ｂとが確実に分離されるため、例えば１５０μｌ程度という微量な血液量であっても、従来の検査と同等の精度で血液検査をすることができる。なお、「１５０μｌ」の採血は再検分を確保した量である。
【００４３】
このように本実施の形態による血液検査用器具によれば、構造簡単で取扱容易、かつ、血液分離に際し確実なシーリング効果を奏することができる。
【００４４】
本願発明による血液検査用器具によれば、上記した実施の形態に制限されない。例えば、上記連通孔１１の拡大孔１３は、周壁を突弧状あるいは扁平状にすることができる。
分離剤の付与は採血ボトル１の内周壁１ｂの中間位置に点状に付与されてもよい。また、分離フロート７の当初位置も採取される血漿成分２１ａと血球成分２１ｂの量により変更することが許される。採血ノズル１７の内周壁１７ｃの形状は任意であり、中途に段差（図示省略）をつけてもよい。さらに分離フロート７の底面７ｂの形状を採血ボトル１の底部５の形状と同一に形成すれば、血球成分２１ｂの採取に一層有利である。
ユーザは医療関係者はもちろん、一般人であっても簡単に使用し取り扱うことができる。
【産業上の利用可能性】
【００４５】
本願発明による血液検査用器具によれば、血液検査に活用することができる。
【符号の説明】
【００４６】
１      採血ボトル
１ａ    上部内周壁
１ｂ    内周壁
３      先端部
４      蓋部
５      底部
５ａ    底面
５ｂ    脚部
７      分離フロート
７ａ    外周壁
７ｂ    底面
９      カップ部
９’    カップ部
９ａ    内周面
１１    連通孔
１３    拡大孔
１３ａ  周壁
１６ａ  分離剤
１６ｂ  分離剤
１７    採血ノズル
１７ａ  先端部
１７ｂ  基端部
１７ｃ  内周壁
１８    圧力調整溝
１９    分析用ノズル
２１    血液
２１ａ  血漿成分
２１ｂ  血球成分
【図１】
2019100858.tif 000003
【図２】
2019100858.tif 000004
【図３】
2019100858.tif 000005
【図４】
2019100858.tif 000006
【図５】
2019100858.tif 000007
【図６】
2019100858.tif 000008
【手続補正書】
【提出日】平成30年10月29日(2018.10.29)
【手続補正１】
【補正対象書類名】明細書
【補正対象項目名】００１７
【補正方法】変更
【補正の内容】
【００１７】
上記目的達成のため、本願発明による血液検査用容器は、採血ボトルと分離フロートとからなる血液検査用器具であって、採血ボトルは先端部が開放された有底の筒状容器からなり、内周壁に分離剤が付与されてなり、分離フロートは上記採血ボトル内に移動可能に収容され、上記分離フロートには血液を受ける面が球面状に切欠されてなるカップ部が形成されるとともに、中心部に連通孔が設けられ、該連通孔にて上記カップ部と採血ボトルの底面とが連通され、上記連通孔は採血ボトルの底部側開口面が拡大して形成され、上記分離フロートの底部は上記採血ボトルの底部と同一形状に形成されることを特徴とする。
また、請求項１記載の血液検査用器具において、上記カップ部が半球面状に形成されることを特徴とする。
また、請求項２記載の血液検査用器具において、上記カップ部が断面半正円形であることを特徴とする。
また、請求項２記載の血液検査用器具において、上記カップ部が断面半楕円形であって、長軸が採血ボトルの長手方向に形成されることを特徴とする。
また、請求項１乃至請求項４のいずれか一記載の血液検査用器具において、上記連通孔の拡大孔の周壁が凹弧状に形成されることを特徴とする。
また、請求項１乃至請求項４のいずれか一記載の血液検査用器具において、上記連通孔の拡大孔の周壁が突弧状に形成されることを特徴とする。
また、請求項１乃至請求項４のいずれか一記載の血液検査用器具において、上記連通孔の拡大孔の周壁が扁平状に形成されることを特徴とする。
また、請求項１乃至請求項７のいずれか一記載の血液検査用器具において、上記分離剤が上記採血ボトルの内周壁の中間部に帯状に付与されることを特徴とする。
また、請求項１記載の血液検査用器具において、上記採血ボトルの上部の内周壁に抗凝固剤が付与されることを特徴とする。
また、請求項１記載の血液検査用器具において、上記分離フロートは当初上記採血ボトルの中間部に半固定状態にて位置することを特徴とする。
また、請求項１記載の血液検査用器具において、上記採血ボトルの先端部に採血ノズルが着脱自在に嵌着され、該採血ノズルは両端が開放され、先端部に向かってテーパ状に形成され、採血ボトルに着脱自在に嵌着される基端部に、圧力調整のための圧力調整溝が形成されることを特徴とする。
【手続補正２】
【補正対象書類名】特許請求の範囲
【補正対象項目名】全文
【補正方法】変更
【補正の内容】
【特許請求の範囲】
【請求項１】
採血ボトルと分離フロートとからなる血液検査用器具であって、
採血ボトルは先端部が開放された有底の筒状容器からなり、内周壁に分離剤が付与されてなり、
分離フロートは上記採血ボトル内に移動可能に収容され、
上記分離フロートには血液を受ける面が球面状に切欠されてなるカップ部が形成されるとともに、中心部に連通孔が設けられ、
該連通孔にて上記カップ部と採血ボトルの底面とが連通され、
上記連通孔は採血ボトルの底部側開口面が拡大して形成され、
上記分離フロートの底部は上記採血ボトルの底部と同一形状に形成されることを特徴とする血液検査用器具。
【請求項２】
請求項１記載の血液検査用器具において、上記カップ部が半球面状に形成されることを特徴とする血液検査用器具。
【請求項３】
請求項２記載の血液検査用器具において、上記カップ部が断面半正円形であることを特徴とする血液検査用器具。
【請求項４】
請求項２記載の血液検査用器具において、上記カップ部が断面半楕円形であって、長軸が採血ボトルの長手方向に形成されることを特徴とする血液検査用器具。
【請求項５】
請求項１乃至請求項４のいずれか一記載の血液検査用器具において、上記連通孔の拡大孔の周壁が凹弧状に形成されることを特徴とする血液検査用器具。
【請求項６】
請求項１乃至請求項４のいずれか一記載の血液検査用器具において、上記連通孔の拡大孔の周壁が突弧状に形成されることを特徴とする血液検査用器具。
【請求項７】
請求項１乃至請求項４のいずれか一記載の血液検査用器具において、上記連通孔の拡大孔の周壁が扁平状に形成されることを特徴とする血液検査用器具。
【請求項８】
請求項１乃至請求項７のいずれか一記載の血液検査用器具において、上記分離剤が上記採血ボトルの内周壁の中間部に帯状に付与されることを特徴とする血液検査用器具。
【請求項９】
請求項１記載の血液検査用器具において、上記採血ボトルの上部の内周壁に抗凝固剤が付与されることを特徴とする血液検査用器具。
【請求項１０】
請求項１記載の血液検査用器具において、上記分離フロートは当初上記採血ボトルの中間部に半固定状態にて位置することを特徴とする血液検査用器具。
【請求項１１】
請求項１記載の血液検査用器具において、上記採血ボトルの先端部に採血ノズルが着脱自在に嵌着され、該採血ノズルは両端が開放され、先端部に向かってテーパ状に形成され、採血ボトルに着脱自在に嵌着される基端部に、圧力調整のための圧力調整溝が形成されることを特徴とする血液検査用器具。
【手続補正書】
【提出日】平成30年12月13日(2018.12.13)
【手続補正１】
【補正対象書類名】図面
【補正対象項目名】図１
【補正方法】変更
【補正の内容】
【図１】
2019100858.tif 000009
【手続補正２】
【補正対象書類名】図面
【補正対象項目名】図５
【補正方法】変更
【補正の内容】
【図５】
2019100858.tif 000010
【手続補正３】
【補正対象書類名】図面
【補正対象項目名】図６
【補正方法】変更
【補正の内容】
【図６】
2019100858.tif 000011